(57)【要約】  【課題】気腹用送気と管腔用送気とでそれぞれに適した送気圧で所定の気体を送気可能で、小型で安価な送気装置を実現する。  【解決手段】送気装置２１は、所定の気体を供給する炭酸ガスボンベ２９と、炭酸ガスボンベ２９から供給される所定の気体の圧力を、腹腔内へ送気するための圧力もしくは管腔内へ送気するための圧力に調整する電空比例弁３３と、腹腔内へ送気するための第１の管路と、管腔内へ送気するための第２の管路と、調整済みの所定の気体を第１の管路又は第２の管路へ送気先を切り替える第１の電磁弁３５及び第２の電磁弁３６と、腹腔内へ送気するための圧力に調整された所定の気体を第１の管路へ送気する、もしくは管腔内へ送気するための圧力に調整された所定の気体を第２の管路へ送気するように電空比例弁３３及び第１の電磁弁３５及び第２の電磁弁３６を制御する制御部４０とを有している。【選択図】図５
2005279061.tif 000002
【特許請求の範囲】
【請求項１】
所定の気体を供給する供給手段と、
前記供給手段から供給される所定の気体の圧力を、腹腔内へ送気するための圧力もしくは管腔内へ送気するための圧力に調整する圧力調整手段と、
前記腹腔内へ送気するための第１の管路と、
前記管腔内へ送気するための第２の管路と、
前記調整済みの所定の気体を前記第１の管路又は前記第２の管路へ送気先を切り替える切替手段と、
前記腹腔内へ送気するための圧力に調整された所定の気体を前記第１の管路へ送気する、もしくは前記管腔内へ送気するための圧力に調整された所定の気体を前記第２の管路へ送気するように前記圧力調整手段及び前記切替手段を制御する制御手段と、
を具備したことを特徴とする送気装置。
【請求項２】
前記切替手段は、前記圧力調整手段により圧力を調整された所定の気体を前記第１の管路に送出する第１の電磁弁及び、前記圧力調整手段により圧力を調整された所定の気体を前記第２の管路に送出する第２の電磁弁であることを特徴とする請求項１に記載の送気装置。
【請求項３】
前記切替手段は、前記圧力調整手段により圧力を調整された所定の気体を、前記第１の管路又は前記第２の管路に切り替える切替弁であることを特徴とする請求項１に記載の送気装置。
【発明の詳細な説明】
【技術分野】
【０００１】
本発明は、腹腔内及び管腔内に所定の気体を供給する送気装置に関する。
【背景技術】
【０００２】
近年、腹腔鏡下外科手術は、広く行われている。この腹腔鏡下外科手術は、患者への侵襲を小さくする目的で、開腹することなく治療処置を行う場合が多い。 
前記腹腔鏡下外科手術においては、患者の腹部に、例えば観察用の硬性内視鏡を体腔内に導く第１のトラカールと、治療処置を行う処置具を処置部位に導く第２のトラカールとが穿刺されて行われるようになっている。
【０００３】
このような腹腔鏡下外科手術においては、前記硬性内視鏡の視野を確保する目的及び前記処置具を操作するための領域を確保する目的で、腹腔内に気腹用ガスとして例えば炭酸ガス（以下、ＣＯ２とも記載する）などを供給する気腹装置が用いられている。 
また、胃や大腸などの管腔内の診断や処置を行う場合には、管腔内に挿入される細長で可撓性を有する挿入部を備えた軟性内視鏡と、この軟性内視鏡の鉗子チャンネルを挿通して前記挿入部先端部のチャンネル開口から突出する処置具により治療処置を行う処置具とが用いられている。
【０００４】
このような内視鏡観察下で患者の胃や大腸などの管腔内の診断や処置などの医療処置を行う際にも、前記軟性内視鏡の視野を確保する目的及び前記処置具を操作するための領域を確保する目的で、管腔内に管腔用ガスとして空気などの気体が注入される場合もある。この場合、管腔に供給される空気は、送気ポンプによって管腔内に送気される場合が多いが、上述した炭酸ガスを用いることも可能である。
【０００５】
近年、新たな試みとして、腹腔鏡下外科手術において、腹腔内に前記硬性内視鏡を挿入すると共に、管腔内に前記軟性内視鏡を挿入して処置部位を特定して治療を行うことがある。この場合にも、管腔内に挿入した前記軟性内視鏡から例えば空気を送り込んで管腔を膨らませることがある。  
しかしながら、上述のように空気を管腔内に供給した場合、空気は生体に吸収されにくいため、管腔内が膨らんだままの状態になってしまう虞れが生じる。このため、生体に吸収され易いガス、例えば、炭酸ガスを大腸に供給する装置であるエンドスコープ・ＣＯ２・レギュレータ（以下、ＥＣＲと称す）を使用することが考えられる。
【０００６】
図１１は、前記ＥＣＲを備えた従来の内視鏡外科手術システムの全体構成図である。 
図１１に示すように、前記従来の内視鏡外科手術システム５０では、使用する周辺医療用機器の種類が多く、複数の医療用機器が数台のカート６０，７０に分けて搭載されている。また、これらのカート６０，７０は、ほぼ一ヶ所に集められて操作性が向上されている。
【０００７】
例えば、前記第１のカート６０には、モニタ６１，集中表示パネル６２，第１ＴＶカメラ６３ａ，第１光源６４ａ，第２ＴＶカメラ６３ｂ，第２光源６４ｂ，システムコントローラ６５，ビデオミキサー６６，ＶＴＲ６７，分配器６８，通信用コネクタ６９などが搭載されている。また、前記第２カート７０には、モニタ７１，高周波焼灼装置７２，気腹器７３，ＣＯ２ボンベ７４，吸引ボトル７５，分配器７６，通信用コネクタ７７などが搭載されている。
【０００８】
各種医療用機器は、前記第１のカート６０及び前記第２のカート７０内で図示しない通信ケーブルを介してそれぞれのカート６０，７０に配設されている分配器６８，７６と電気的に接続されている。また、前記第１のカート６０と前記第２のカート７０とは、通信ケーブルを内設したユニバーサルケーブル７８を介して電気的に接続されている。更に、前記第１カート６０及び前記第２カート７０と前記周辺機器コントローラ８０とは、通信ケーブルを内設したユニバーサルコード８２を介して電気的に接続されている。
【０００９】
前記周辺機器コントローラ８０には、第１のカート６０及び第２のカート７０に搭載されている医療用機器のうち頻繁に使う必要のある設定スイッチが集中制御操作部８１に集約されている。 
更に、前記第１カート６０の第１光源６４ａ又は、第２光源６４ｂに、炭酸ガス（ＣＯ２）供給用チューブ９２を介してＥＣＲ９０が接続されている。このＥＣＲ９０は、炭酸ガスボンベ（以下、ＣＯ２ボンベとも記載する）９１に接続されている。
【００１０】
このように、内視鏡下で外科手術を行う従来の内視鏡外科手術システムに前記ＥＣＲ９０を設けて構成した場合には、前記内視鏡外科手術システム５０は、前記気腹器７３及びＣＯ２ボンベ７４と、前記ＥＣＲ９０及びＣＯ２ボンベ９１とを別々に配置することになる。
【００１１】
一方、腹腔内に炭酸ガスを送気する気腹器などの送気装置においては、従来より種々提案がなされている。 
例えば、特開２０００−１３９８３０号公報には、送気流量が設定値に達していない場合には、圧力調整手段である電空比例弁（又は、電磁比例弁とも言う）の出力圧力が上昇するように制御信号を前記電空比例弁に供給して、生体内圧が設定値となるように送気流量を制御するようにした送気装置が開示されている。 
また、特開平８−２５６９７２号公報には、気体供給源から気腹用の挿入具に至る気体供給管路の流通状態を切替える複数の管路切替部（電磁弁）をマニホールドバルブと一体的に組み付けて構成することにより、流量制御部の小型化を図るようにした気腹装置が開示されている。
【特許文献１】特開２０００−１３９８３０号公報
【特許文献２】特開平８−２５６９７２号公報
【発明の開示】
【発明が解決しようとする課題】
【００１２】
しかしながら、図１１に示す従来例の内視鏡外科手術システムは、腹腔内に前記硬性内視鏡を挿入すると共に、管腔内に前記軟性内視鏡を挿入して処置部位を特定して治療を行うようになっている。この場合、前記ＥＣＲは、通常の内視鏡検査に適した設計、即ち、大腸などの管腔内のみに適した送気圧で炭酸ガスを前記軟性内視鏡を介して送気するように設計されているため、腹腔鏡下では気腹圧の影響で十分に炭酸ガスを供給することが困難になってしまう。 
また、前記従来例では、気腹器と前記ＥＣＲとを別々に用意しなくてはならず、準備が煩雑になってしまったり、スペース的に非効率であるといった問題点があった。
【００１３】
そこで、例えば、炭酸ガスを使用する、前記気腹器と前記ＥＣＲとを単純に一体化して構成した場合、装置が大型化し、コストも上昇する。また、気腹用送気と管腔用送気とでは、各送気圧がそれぞれ異なるために、それぞれに適した送気圧で炭酸ガスを送気しなければならない。
【００１４】
本発明は、上述した点に鑑みてなされたもので、気腹用送気と管腔用送気とでそれぞれに適した送気圧で所定の気体を送気可能で、小型で安価な送気装置を提供することを目的とする。
【課題を解決するための手段】
【００１５】
本発明による第１の送気装置は、所定の気体を供給する供給手段と、前記供給手段から供給される所定の気体の圧力を、腹腔内へ送気するための圧力もしくは管腔内へ送気するための圧力に調整する圧力調整手段と、前記腹腔内へ送気するための第１の管路と、前記管腔内へ送気するための第２の管路と、前記調整済みの所定の気体を前記第１の管路又は前記第２の管路へ送気先を切り替える切替手段と、前記腹腔内へ送気するための圧力に調整された所定の気体を前記第１の管路へ送気する、もしくは前記管腔内へ送気するための圧力に調整された所定の気体を前記第２の管路へ送気するように前記圧力調整手段及び前記切替手段を制御する制御手段と、を具備したことを特徴としている。 
また、本発明による第２の送気装置は、前記第１の送気装置において、前記切替手段は、前記圧力調整手段により圧力を調整された所定の気体を前記第１の管路に送出する第１の電磁弁及び、前記圧力調整手段により圧力を調整された所定の気体を前記第２の管路に送出する第２の電磁弁であることを特徴としている。 
また、本発明による第３の送気装置は、前記第１の送気装置において、前記切替手段は、前記圧力調整手段により圧力を調整された所定の気体を、前記第１の管路又は前記第２の管路に切り替える切替弁であることを特徴としている。
【発明の効果】
【００１６】
本発明の送気装置は、気腹用送気と管腔用送気とでそれぞれに適した送気圧で所定の気体を送気可能で、小型で安価に構成できるといった利点がある。
【発明を実施するための最良の形態】
【００１７】
以下、図面を参照して本発明の実施例を説明する。  
【実施例１】
【００１８】
図１ないし図７は本発明の第１実施例に係り、図１は第１実施例の送気装置を備えた内視鏡外科手術システムの全体構成図、図２は図１の操作パネルの画像構成例、図３は図１の表示パネルの画像構成例、図４は図１の送気装置の設定操作部及び表示部を示す構成図、図５は図１の送気装置の構成を説明するブロック図、図６は図５の制御部の制御動作例を示すフローチャート、図７は変形例を示す送気装置及び第２光源装置の構成を説明するブロック図である。
【００１９】
図１に示すように内視鏡外科手術システム１は、撮像装置を内蔵したＴＶカメラヘッド４が装着された硬性内視鏡５を設けており、手術台２に横たわる患者３の腹腔に図示しないトラカールを介して挿入される。また、前記内視鏡外科手術システム１は、前記硬性内視鏡５による観察視野を確保するために炭酸ガスを患者３の腹腔内に送気して気腹を行うための気腹用ガイド管６と、患部に電気的に焼灼処置を行う電気メスプローブ７とが患者３に穿刺されて設けられている。
【００２０】
前記ＴＶカメラヘッド４には、信号ケーブル８が接続されている。前記硬性内視鏡５には、ライトガイドケーブル９が接続されている。また、前記気腹用ガイド管（トラカール）６には、気腹用チューブ（以下、腹腔用チューブと称す）１０が接続されている。また、前記電気メスプローブ７には、信号ケーブル１１が接続されている。
【００２１】
前記信号ケーブル８及び前記ライトガイドケーブル９は、トロリ１８に搭載されたＴＶカメラ装置（カメラコントロールユニットであり、以下、ＣＣＵと称す）１９、第１光源装置２０に接続されている。前記腹腔用チューブ１０は、前記トロリ１８に搭載された気腹器である送気装置２１に接続されている。また、前記信号ケーブル１１は、前記トロリ１８に搭載された電気メス装置２３に接続されている。
【００２２】
また、本実施例の内視鏡外科手術システム１は、前記患者３の大腸などの管腔内の内視鏡検査を行う軟性内視鏡１２を有している。この軟性内視鏡１２は、送気ボタン１３ａを押下することによって、送気装置２１から供給される炭酸ガスをユニバーサルコード１７内の送気管路（図示せず）を介して挿入部１６の先端部から送気できるようになっている。
【００２３】
前記送気ボタン１３ａは、把持部１４を兼ねる操作部１３の後端側に設けられている。尚、送気ボタン１３ａは、図示しない開放孔が形成されており、開放孔から送気ガスが抜けるようになっている。術者は、前記開放孔を指で押さえて塞ぐことで、管腔にガスを送気することができるようになっている。
【００２４】
前記ユニバーサルコード１７は、内部に図示しないが信号ケーブルやライトガイド及び前記送気管路を有している。このユニバーサルコード１７は、コネクタ部１７Ａを介して前記トロリ１８に搭載された第２光源装置２４に接続されている。 
前記コネクタ部１７Ａは、送気装置２１からの管腔用チューブ２２が接続される炭酸ガス供給口１７ａを有し、この炭酸ガス供給口１７ａを介して前記送気装置２１により炭酸ガスが供給されるようになっている。
【００２５】
前記トロリ１８には、撮像装置に対する信号処理を行う前記ＣＣＵ１９、前記硬性内視鏡５に照明光を供給するための前記第１光源装置２０と、腹腔用と管腔用の気体（炭酸ガス）を供給する前記送気装置２１と、焼灼用高周波電力を供給する電気メス装置２３と、前記軟性内視鏡１２に照明光を供給するための第２光源装置２４とが搭載されている。
【００２６】
更に、前記トロリ１８には、全体の制御を行うシステムコントローラ２５と、前記第２光源装置２４に接続され、前記軟性内視鏡１２の内蔵する撮像装置に対する信号処理を行うＣＣＵ１９Ａと、前記ＣＣＵ１９、１９Ａからの映像信号を記録するＶＴＲ（図示せず）と、前記ＣＣＵ１９、１９Ａからの映像信号を映像として表示するモニタ２６と、前記送気装置２１に高圧ガス用チューブ２９Ａを介して炭酸ガスを供給する炭酸ガスボンベ（ＣＯ２ボンベ）２９とが搭載されている。 
また、表示を行う表示パネル２７と操作を行う操作パネル２８とが前記トロリ１８に取り付けられている。
【００２７】
前記ＣＣＵ１９、１９Ａ等の各医療機器は、図示しない通信ケーブルで前記システムコントローラ２５と接続されている。前記システムコントローラ２５の操作は、タッチパネル式の操作パネル２８か、又は、図示しないリモコンで行うことができるようになっている。また、システムコントローラ２５の表示は、前記操作パネル２８又は、表示パネル２７で行うようになっている。
【００２８】
前記システムコントローラ２５には、前記操作パネル２８や後述する前記送気装置２１の設定操作部４１（図４参照）からの信号を受ける操作信号受信部、前記操作パネル２８や前記送気装置２１の表示部４２（図４参照）に表示するのに必要な情報を送信する操作信号送信部、前記表示パネル２７や前記送気装置２１の前記表示部４２で表示するのに必要な情報を送信する表示信号送信部が設けてある。
【００２９】
また、前記システムコントローラ２５は、前記トロリ１８に搭載されている医療機器と通信を行う図示しない通信部と電気的に接続している。この通信部（図示せず）は、通信ケーブルによりＣＣＵ１９、１９Ａ、第１光源装置２０、送気装置２１、電気メス装置２３、第２光源装置２４、図示しないＶＴＲと接続され、これらの医療機器と双方向の通信を行うことができるようになっている。
【００３０】
また、前記システムコントローラ２５は、内部に映像信号処理部（図示せず）を有している。この映像信号処理部（図示せず）は、前記ＣＣＵ１９、１９Ａからの映像信号に対して生成した映像情報をモニタ２６などに送信することができるようにしている。
【００３１】
図２には、図１の前記操作パネル２８の構成例が示されている。 
図２に示すように、前記操作パネル２８には、送気装置（気腹器）２１による腹腔用又は管腔用の気腹流量を調節するための設定操作ボタン２８ａと、前記電気メス装置（高周波燃焼装置）２３の出力値を調節するための操作ボタン２８ｂと、前記ＣＣＵ（ＴＶカメラ）１９，１９Ａの色調を調節するための操作ボタン２８ｃと、モニタ２６に表示する映像情報の表示切換えを指示するための操作ボタン２８ｄと、前記ＶＴＲによる録画又は録画停止を指示するための操作ボタン２８ｅと、前記第１光源装置２０及び前記第２光源装置２４の光量を調節するための操作ボタン２８ｆとが設けられている。
【００３２】
図３には、図１の前記表示パネル２７の表示画面の一例が示されている。 
図３に示すように、例えば、前記表示パネル２７の表示画面上には前記システムコントローラ２５が通信制御している機器である送気装置２１、電気メス装置２３、送水・吸引ポンプ（図示せず）、ＶＴＲ（図示せず）の機能に関する設定・動作状態がそれぞれの表示エリア２７Ａ（２７ａ，２７ｂ），２７ｃ，２７ｄ，２７ｅに表示されるようになっている。尚、前記表示エリア２７Ａは、前記送気装置２１に関する設定、動作状態を表示するようになっており、管腔内圧力表示２７ａ及び腹腔内圧力表示２７ｂや炭酸ガス残量表示、流量表示等を表示している。
【００３３】
次に、前記送気装置２１のフロントパネルに設けられた前記設定操作部４１及び前記表示部４２の構成例について図４を参照しながら説明する。 
図４に示すように、前記送気装置２１のフロントパネルには、前記設定操作部４１及び前記表示部４２が設けられている。これら設定操作部４１及び表示部４２は、炭酸ガスボンベ２９に関する設定、操作及び表示のための供給源設定表示部２１Ｃと、腹腔に関する設定、操作及び表示のための腹腔用設定表示部２１Ｄと、管腔に関する設定、操作及び表示のための管腔用設定表示部２１Ｅとに分割されている。また、前記腹腔用設定表示部２１Ｄの下側には、腹腔用供給口金２１Ａが設けられている。更に、前記管腔用設定表示部２１Ｅの下側には、管腔用供給口金２１Ｂが設けられている。このような配置構成により、術者にとって前記送気装置２１の操作がし易く、また各表示が見易いものとなっている。
【００３４】
前記供給源設定表示部２１Ｃには、前記表示部４２であるガス残量表示部２１ａ、前記設定操作部４１である送気開始ボタン２１ｂ、送気停止ボタン２１ｃ、電源スイッチ２１ｄが設けられている。 
前記腹腔用設定表示部２１Ｄには、前記表示部４２である腹腔内圧力表示部２１ｅ、腹腔流量表示部２１ｆ、腹腔送気ガス総量表示部２１ｇ及び圧力警告灯２ｈ、前記設定操作部４１である腹腔内圧力設定ボタン２１ｉ、腹腔送気ガス流量設定ボタン２１ｊ、腹腔指示ボタン２１ｋが設けられている。 
前記管腔用設定表示部２１Ｅには、前記表示部４２である管腔流量表示部２１ｌ、前記設定操作４１である管腔指示ボタン２１ｍ、管腔送気ガス流量設定ボタン２１ｎが設けられている。
【００３５】
前記電源スイッチ２１ｄは、送気装置２１の電源をオン状態又はオフ状態に切り替えるスイッチである。前記送気開始ボタン２１ｂは、送気開始を指示するボタンである。前記送気停止ボタン２１ｃは、送気されている状態を送気停止状態に切り替えるためのスイッチである。 
前記腹腔内圧力設定ボタン２１ｉ、前記腹腔送気ガス流量設定ボタン２１ｊ及び管腔送気ガス流量設定ボタン２１ｎは、それぞれアップ、ダウンの２つの操作ボタンを有し、これらアップ、ダウンボタンを適宜操作することによって設定値を徐々に高くなる方向、又は、前記設定値を徐々に低くなる方向に変化させられるようになっている。
【００３６】
前記ガス残量表示部２１ａには、炭酸ガスボンベ２９内の炭酸ガス残量が表示されるようになっている。 
前記腹腔内圧力表示部２１ｅは、左右２つの表示部を有し、右側の表示部には後述の圧力センサ３７の測定値に基づく値が表示され、左側の表示部には例えば前記腹腔内圧力設定ボタン２１ｉをボタン操作して設定された設定圧が表示されるようになっている。
【００３７】
前記腹腔流量表示部２１ｆは左右２つの表示部を有し、右側の表示部には例えば後述の第１流量センサ３８によって計測された測定値に基づく値が表示され、左側の表示部には前記腹腔送気ガス流量設定ボタン２１ｊをボタン操作して設定された設定流量が表示されるようになっている。
【００３８】
前記腹腔送気ガス総量表示部２１ｇには、前記第１流量センサ３８の計測値に基づいて制御部４０で演算によって求められた送気ガス総量が表示されるようになっている。 
前記圧力警告灯２ｈは、前記圧力センサ３７の測定値が予め設定されている腹腔内圧力の設定値より所定の圧力だけ高くなったとき、制御部４０からの制御信号に基づいて例えば消灯状態から点滅表示状態又は赤色発光状態に変化して、腹腔内圧力が設定値より高くなったことを術者等に告知するようになっている。
【００３９】
前記腹腔指示ボタン２１ｋは、前記送気装置２１による炭酸ガスの送気を腹腔内に対して行う腹腔送気モードを選択するための指示ボタンであり、ボタン操作することにより、前記腹腔送気モードが選択されるようになっている。 
一方、前記管腔流量表示部２１ｌは左右２つの表示部を有し、右側の表示部には例えば後述の第２流量センサ３９によって計測された測定値に基づく値が表示され、左側の表示部には管腔送気ガス流量設定ボタン２１ｎをボタン操作して設定された設定流量が表示されるようになっている。
【００４０】
前記管腔指示ボタン２１ｍは、前記送気装置２１による炭酸ガスの送気を管腔内に対して行う管腔送気モードを選択するための指示ボタンであり、ボタン操作することにより、前記管腔送気モードが選択されるようになっている。 
尚、管腔用の前記設定表示部２１Ｅに、前記圧力警告灯２ｈと同様の管腔圧力警告灯を設けても良い。  
次に、前記送気装置２１の構成について図５を参照しながら説明する。 
図５に示すように、前記送気装置２１は、高圧口金３０、供給圧センサ３１、減圧器３２、圧力調整手段としての電空比例弁３３、切替手段としての第１及び第２電磁弁３５，３６、送気圧力計測手段としての圧力センサ３７、流量計測手段としての第１及び第２流量センサ３８，３９、制御部４０、設定操作４１、表示部４２、腹腔用供給口金２１Ａ、管腔用供給口金２１Ｂを有している。
【００４１】
尚、前記電空比例弁３３は、図示しないマグネットコイルと磁針とから形成された電磁石によって、圧力制御用薄膜に作用する減圧ばねの力を変化させて圧力を電気的に調節するように構成されており、入力電圧（電流）に比例して開度が可変するようになっている。 
前記炭酸ガスボンベ２９と前記送気装置２１とは、高圧ガス用チューブ２９Ａによって連結されている。前記高圧ガス用チューブ２９Ａの一端部は前記送気装置２１に設けられている前記高圧口金３０に連結されるようになっている。
【００４２】
前記システムコントローラ２５から延出する信号ケーブル２５Ａは、前記送気装置２１の図示しない電気コネクタに着脱自在に取り付けられ、内部の制御部４０に電気的に接続されるようになっている。 
前記腹腔用チューブ１０の他端部（コネクタ部）は、前記送気装置２１に設けられている前記腹腔用供給口金２１Ａに着脱自在に取り付けられるようになっている。また、前記管腔用チューブ２２の他端部（コネクタ部）は、前記送気装置２１に設けられている前記管腔用供給口金２１Ｂに着脱自在に取り付けられるようになっている。
【００４３】
前記炭酸ガスボンベ２９に貯留されている液状の二酸化炭素は、ボンベのコックを開けることで、気化されて前記送気装置２１内の内部管路を介して前記減圧器３２に導かれる。炭酸ガスは、前記減圧器３２により所定の圧力に減圧された後、前記電空比例弁３３により、腹腔内及び管腔内に供給するのに適した圧力に調節される。 
前記電空比例弁３３により調整された炭酸ガスは、腹腔内及び管腔内の２系統に形成された内部管路に導かれる。
【００４４】
腹腔内への管路は、前記第１電磁弁３５、前記第１流量センサ３８、前記腹腔用供給口金２１Ａ、前記腹腔用チューブ１０、前記気腹用ガイド管６に設けられている流路（送気管路：図示せず）を通って炭酸ガスが腹腔内に導かれるようになっている。 
一方、管腔内への管路は、前記第２電磁弁３６、前記第２流量センサ３９、前記管腔用供給口金２１Ｂ、前記管腔用チューブ２２、コネクタ部１７Ａ、ユニバーサルコード１７を通って前記軟性内視鏡１２に供給される。
【００４５】
前記軟性内視鏡１２には、上述したように送気ボタン１３ａに開放孔が形成されているので、この開放孔を術者が塞ぐことで、管腔内に炭酸ガスが供給されるようになっている。 
前記供給圧センサ３１は、前記炭酸ガスボンベ２９から供給される炭酸ガスの圧力を計測して、その計測結果を制御部４０に出力する。前記減圧器３２は、前記炭酸ガスボンベ２９から供給された炭酸ガスの圧力を所定の圧力に減圧し、前記電空比例弁３３に供給する。
【００４６】
前記電空比例弁３３は、前記制御部４０によって圧力の制御が可能で、前記減圧器３２によって減圧された圧力を、前記制御部４０からの制御信号に基づいて更に所定の範囲内で調節する。 
例えば、前記電空比例弁３３は、前記制御部４０からの制御信号に基づいて前記減圧器３２により減圧された炭酸ガスの圧力を０〜５００ｍｍＨｇの範囲内で減圧可能である。
【００４７】
尚、腹腔用に適した送気圧の範囲としてはおよそ０〜８０ｍｍＨｇが望ましく、送気流量の適した範囲としてはおよそ０．１〜３５Ｌ／ｍｉｎが望ましい。また、管腔用に適した送気圧の範囲としては、およそ１００〜５００ｍｍＨｇが望ましく、送気流量の適した範囲としては１〜３Ｌ／ｍｉｎが望ましい。 
前記第１及び第２電磁弁３５，３６は、前記制御部４０によって開閉制御が可能なバルブであり、前記制御部４０からの制御信号に基づいて開状態又は閉状態に切り替えられる。
【００４８】
前記圧力センサ３７は、前記第１電磁弁３５を閉じたとき、腹腔内の圧力を計測して、その計測結果を前記制御部４０に出力する。 
前記第１流量センサ３８は、前記第１電磁弁３５を通過してこの内部管路を流れる炭酸ガスの流量を計測して、その計測結果を前記制御部４０に出力する。前記第２流量センサ３９は、前記第２電磁弁３６を通過してこの内部管路を流れる炭酸ガスの流量を計測して、その計測結果を前記制御部４０に出力する。
【００４９】
尚、図示はしないが前記第１電磁弁３５と前記第１流量センサ３８との間には、排気弁（図示せず）を設けても良い。その場合、この排気弁（図示せず）では、前記圧力センサ３７の計測値が腹腔内圧力設定値を超えているとき、前記制御部４０からの制御信号に基づいて腹腔内圧力を減圧させるために弁を開放状態にするようになっている。これによって、送気装置２１は、腹腔内の炭酸ガスが大気中に放出されるようになる。
【００５０】
前記制御部４０は、供給された各計測結果及び検出結果に基づいて、前記電空比例弁３３の圧力制御、前記第１及び第２電磁弁３５，３６の開閉制御や前記表示部４２の表示制御等を行う。また、前記制御部４０には、前記設定操作部４１が接続されており、前記制御部４０は前記設定操作部４１からの操作信号に基づき前記各種制御を行うことが可能である。
【００５１】
次に、本実施例の送気装置２１の作用について説明する。 
本実施例の送気装置２１は、図１で説明したように内視鏡外科手術システム１に用いられる。 
術者は、腹腔鏡下外科手術において、腹腔内に前記硬性内視鏡５を挿入すると共に、大腸などの管腔内に前記軟性内視鏡１２を挿入して処置部位を特定して治療を行うものとする。
【００５２】
前記送気装置２１は、術者が前記腹腔指示ボタン２１ｋ及び前記送気開始ボタン２１ｂを操作することにより、上述したように前記腹腔用供給口金２１Ａには、前記制御部４０の前記電空比例弁３３に対する腹腔圧制御により、腹腔用に適した圧力の炭酸ガスが供給されるようになっている。
【００５３】
前記腹腔圧制御とは、前記電空比例弁３３を開閉して前記圧力センサ３７により測定した測定結果に基づき、前記電空比例弁３３の開き具合を制御して腹腔内の圧力が設定値になるような制御である。即ち、前記腹腔圧制御は、前記電空比例弁３３を閉じて炭酸ガスが供給されていない際に、前記圧力センサ３７により腹腔内の圧力を測定し、次に前記電空比例弁３３を開けて前記圧力センサ３７により測定した測定結果に基づき、前記電空比例弁３３の開き具合を制御して腹腔内の圧力が設定値になるように交互に繰り返す。
【００５４】
一方、前記送気装置２１は、術者が前記管腔指示ボタン２１ｍ及び送気開始ボタン２１ｂを操作することにより、上述したように前記管腔用供給口金２１Ｂには、前記制御部４０の前記電空比例弁３３に対する管腔流量制御により、管腔用に適した流量の炭酸ガスが供給されるようになっている。
【００５５】
尚、前記管腔流量制御とは、前記電空比例弁３３が開いて炭酸ガスが供給されている際に、前記第２流量センサ３９により測定した測定結果に基づき、前記電空比例弁３３の開き具合を制御して炭酸ガスの流量が設定値になるような制御である。
【００５６】
ここで、手術を行う前に、送気装置２１は、上述したように予め、炭酸ガスボンベ２９のコックが開けられることで、高圧炭酸ガスが供給されて内部管路を介して減圧器３２に導かれ、この減圧器３２により高圧炭酸ガスが所定の圧力に減圧されている。
【００５７】
図６のフローを参照して更に、具体的に説明する。 
先ず、制御部４０は、管腔指示ボタン２１ｍがボタン操作された管腔送気モードオンの状態か否かを判断する（ステップＳ１）。管腔送気モードがオンの場合、制御部４０は、管腔送気モードに入る。制御部４０は、第１電磁弁３５を閉じ（ステップＳ２）、管腔流量制御を行う（ステップＳ３）。
【００５８】
上述したように減圧器３２により所定の圧力に減圧された炭酸ガスは、前記電空比例弁３３により、管腔内に供給するのに適した圧力、送気流量に調節され、腹腔内及び管腔内の２系統に形成された内部管路に導かれる。 
ここで、腹腔内への管路へは、前記第１電磁弁３５が閉じているので、炭酸ガスが供給されない。従って、炭酸ガスは、管腔内への管路へ導かれ、前記第２電磁弁３６、前記第２流量センサ３９、前記管腔用供給口金２１Ｂ、前記管腔用チューブ２２、コネクタ部１７Ａ、ユニバーサルコード１７、前記軟性内視鏡１２に設けられている流路（送気管路：図示せず）を通って管腔内に導かれる。前記軟性内視鏡１２には、上述したように開放孔を術者が塞ぐことで、管腔内に炭酸ガスが供給される。
【００５９】
このとき、前記第２流量センサ３９は、前記第２電磁弁３６を通過してこの内部管路を流れる炭酸ガスの流量を計測して、その計測結果を前記制御部４０に出力する。前記制御部４０は、この計測結果に基づき、前記電空比例弁３３を制御して管腔内への炭酸ガスの流量を設定された送気流量の適した範囲に制御し、管腔流量制御が行われる。
【００６０】
一方、管腔送気モードがオフの場合、制御部４０は、腹腔送気モードに入る。制御部４０は、第２電磁弁３６を閉じ（ステップＳ４）、腹腔圧制御を行う（ステップＳ５）。 
減圧器３２により所定の圧力に減圧された炭酸ガスは、前記制御部４０からの制御信号に基づいて制御される前記電空比例弁３３により、腹腔内に供給するのに適した圧力、送気流量に調節され、腹腔内及び管腔内の２系統に形成された内部管路に導かれる。
【００６１】
ここで、管腔内への管路へは、前記第２電磁弁３６が閉じているので、炭酸ガスが供給されない。従って、炭酸ガスは、腹腔内への管路へ導かれ、前記第１電磁弁３５、前記第１流量センサ３８、前記腹腔用供給口金２１Ａ、前記腹腔用チューブ１０、前記気腹用ガイド管６に設けられている流路（送気管路：図示せず）を通って腹腔内に導かれる。
【００６２】
このとき、前記第１流量センサ３８は、前記第１電磁弁３５を通過してこの内部管路を流れる炭酸ガスの流量を計測して、その計測結果を前記制御部４０に出力する。また、前記圧力センサ３７は、前記第１電磁弁３５を閉じたとき、腹腔内の圧力を計測して、その計測結果を前記制御部４０に出力する。
【００６３】
前記制御部４０は、前記第１流量センサ３８及び前記圧力センサ３７の計測結果に基づき、前記電空比例弁３３を制御して腹腔内への炭酸ガスの圧力を送気圧力の適した範囲の０〜８０ｍｍＨｇに、流量を送気流量の適した範囲の０．１〜３５Ｌ／ｍｉｎに制御し、腹腔圧制御が行われる。 
尚、前記制御部４０は、管腔流量制御及び腹腔圧制御の後、炭酸ガス供給を終了するまで、再びステップＳ１に戻り、Ｓ１からＳ３又はＳ５を繰り返す。
【００６４】
これにより、本実施例の送気装置２１は、腹腔内には、前記制御部４０の前記電空比例弁３３に対する腹腔圧制御により腹腔用に適した圧力の炭酸ガスが供給され、また、管腔内には、同様に前記制御部４０の前記電空比例弁３３に対する管腔流量制御により管腔用に適した流量の炭酸ガスが供給される。 
従って、本実施例によれば、１つの送気装置２１に、従来の気腹器の機能とＥＣＲの機能とを持たせて、気腹用送気と管腔用送気とでそれぞれに適した送気圧で炭酸ガスを送気可能で、小型で安価に構成できる。
【００６５】
尚、送気装置２１は、図７に示すように前記軟性内視鏡１２に接続される前記第２光源装置２４を介して管腔内に炭酸ガスを供給するように構成しても良い。 
図７に示すように前記第２光源装置２４は、前記軟性内視鏡１２に送気ガスとして空気を送気可能なエアポンプ４３及び、逆止弁４４ｂを内部管路に備え、前面口金２４ｂから前記管腔用チューブ２２（図１参照）を介して前記軟性内視鏡１２に送気ガスとして空気を送気可能に構成されている。尚、前記第２光源装置２４は、図示しないが前記軟性内視鏡１２に照明光を供給する図示しない光源及び光学系を有している。
【００６６】
本変形例の第２光源装置２４は、前記送気装置２１から背面口金２４ａを介して供給される炭酸ガスを前記軟性内視鏡１２に供給するために、内部管路に逆止弁４４ａを設けて構成されている。このため、前記送気装置２１からの炭酸ガスは、前記第２光源装置２４を介して前記軟性内視鏡１２に供給可能となる。 
これにより、本発明は、光源装置を介して軟性内視鏡に送気ガスを供給可能な従来タイプの内視鏡装置に適用でき、管腔に送気ガスとして炭酸ガスを供給できる。
【実施例２】
【００６７】
図８ないし図１０は本発明の第２実施例に係り、図８は第２実施例の送気装置の設定操作部及び表示部を示す構成図、図９は第２実施例の送気装置の構成を説明するブロック図、図１０は図９の制御部の制御動作例を示すフローチャートである。
【００６８】
上記第１実施例は前記電空比例弁３３から腹腔用と管腔用との２系統に内部管路を分岐して構成しているが、第２実施例は前記腹腔用供給口金２１Ａ及び前記管腔用供給口金２１Ｂの直前に切替弁を設け、この切替弁までは内部管路が１つに構成している。それ以外の構成は、上記第１実施例と同様な構成であるので、説明を省略し、同じ構成には同じ符号を付して説明する。
【００６９】
先ず、第２実施例の送気装置４５の設定操作部及び表示部を説明する。 
図８に示すように、第２実施例の送気装置４５のフロントパネルには、前記設定操作部４１及び前記表示部４２が設けられている。これら設定操作部４１及び表示部４２は、炭酸ガスボンベ２９に関する設定、操作及び表示のための供給源設定表示部２１Ｃと、腹腔又は管腔に関する設定、操作及び表示のための設定表示部２１Ｈとに分割されている。
【００７０】
前記設定表示部２１Ｈの下側には、前記腹腔用供給口金２１Ａ及び前記管腔用供給口金２１Ｂが設けられている。このような配置構成により、術者にとって前記送気装置４５の操作がし易く、また各表示が見易いものとなっている。 
前記供給源設定表示部２１Ｃには、前記表示部４２であるガス残量表示部２１ａ、前記設定操作部４１である送気開始ボタン２１ｂ、送気停止ボタン２１ｃ、電源スイッチ２１ｄが設けられている。  
前記設定表示部２１Ｈには、前記表示部４２である圧力表示部２１ｐ、流量表示部２１ｑ、送気ガス総量表示部２１ｒ及び圧力警告灯２ｈ、前記設定操作部４１である圧力設定ボタン２１ｓ、送気ガス流量設定ボタン２１ｔ、腹腔指示ボタン２１ｋ、管腔指示ボタン２１ｍが設けられている。 
前記圧力設定ボタン２１ｓ、前記送気ガス流量設定ボタン２１ｔは、それぞれアップ、ダウンの２つの操作ボタンを有し、これらアップ、ダウンボタンを適宜操作することによって設定値を徐々に高くなる方向、又は、前記設定値を徐々に低くなる方向に変化させられるようになっている。
【００７１】
前記圧力表示部２１ｐは、左右２つの表示部を有し、右側の表示部には圧力センサ３７の測定値に基づく値が表示され、左側の表示部には例えば前記圧力設定ボタン２１ｓをボタン操作して設定された設定圧が表示されるようになっている。 
前記流量表示部２１ｑは左右２つの表示部を有し、右側の表示部には例えば後述の流量センサ３８Ａによって計測された測定値に基づく値が表示され、左側の表示部には前記送気ガス流量設定ボタン２１ｔをボタン操作して設定された設定流量が表示されるようになっている。
【００７２】
前記送気ガス総量表示部２１ｒには、前記流量センサ３８Ａの計測値に基づいて制御部４０Ａで演算によって求められた送気ガス総量が表示されるようになっている。 
前記圧力警告灯２ｈは、前記圧力センサ３７の測定値が予め設定されている圧力の設定値より所定の圧力だけ高くなったとき、制御部４０Ａからの制御信号に基づいて例えば消灯状態から点滅表示状態又は赤色発光状態に変化して、腹腔内又は管腔内圧力が設定値より高くなったことを術者等に告知するようになっている。
【００７３】
次に、第２実施例の送気装置４５の構成について図９を参照しながら説明する。 
図９に示すように、第２実施例の送気装置４５は、前記腹腔用供給口金２１Ａ及び前記管腔用供給口金２１Ｂの直前に切替弁４６を設け、この切替弁４６までは内部管路が１つに構成されており、前記高圧口金３０、前記供給圧センサ３１、前記減圧器３２、前記電空比例弁３３、電磁弁３５Ａ、前記圧力センサ３７、流量センサ３８Ａ、制御部４０Ａ、前記設定操作４１、前記表示部４２を有している。
【００７４】
尚、第２実施例の送気装置４５は、前記電空比例弁３３までの管路は前記第１実施例の送気装置２１と同様な構成なので、説明を省略し、前記電空比例弁３３以降の内部管路から説明する。 
前記電空比例弁３３により調整された炭酸ガスは、前記電磁弁３５Ａ、前記流量センサ３８Ａを通過し、前記切替弁４６により腹腔内又は管腔内へ切り替えられて前記腹腔用供給口金２１Ａ又は前記管腔用供給口金２１Ｂに導かれるようになっている。
【００７５】
切替弁４６により腹腔内へ切り替えられた炭酸ガスは、前記腹腔用チューブ１０、前記気腹用ガイド管６に設けられている流路（送気管路：図示せず）を通って腹腔内に導かれるようになっている。 
一方、切替弁４６により管腔内へ切り替えられた炭酸ガスは、前記管腔用チューブ２２、コネクタ部１７Ａ、ユニバーサルコード１７を通って軟性内視鏡１２Ｂに供給される。
【００７６】
尚、第２実施例の軟性内視鏡１２Ｂには、送気ボタン１３ａに開放孔が形成されておらず、供給された炭酸ガスがそのまま内部管路を介して管腔内へ供給されるようになっている。 
前記供給圧センサ３１は、前記炭酸ガスボンベ２９から供給される炭酸ガスの圧力を計測して、その計測結果を制御部４０Ａに出力する。前記減圧器３２は、前記炭酸ガスボンベ２９から供給された炭酸ガスの圧力を所定の圧力に減圧し、前記電空比例弁３３に供給する。
【００７７】
前記電空比例弁３３は、前記制御部４０Ａによって圧力の制御が可能で、前記減圧器３２によって減圧された圧力を、前記制御部４０Ａからの制御信号に基づいて更に所定の範囲内で調節する。 
例えば、前記電空比例弁３３は、前記制御部４０Ａからの制御信号に基づいて前記減圧器３２により減圧された炭酸ガスの圧力を０〜５００ｍｍＨｇの範囲内で減圧可能である。
【００７８】
前記電磁弁３５Ａは、前記制御部４０Ａによって開閉制御が可能なバルブであり、前記制御部４０Ａからの制御信号に基づいて開状態又は閉状態に切り替えられる。 
前記圧力センサ３７は、前記電磁弁３５Ａを閉じたとき、腹腔内の圧力を計測して、その計測結果を前記制御部４０Ａに出力する。
【００７９】
前記流量センサ３８Ａは、前記電磁弁３５Ａを通過してこの内部管路を流れる炭酸ガスの流量を計測して、その計測結果を前記制御部４０Ａに出力する。 
尚、図示はしないが前記電磁弁３５Ａと前記流量センサ３８Ａとの間に排気弁（図示せず）を設けても良い。その場合、この排気弁（図示せず）では、前記圧力センサ３７の計測値が腹腔内圧力設定値を超えているとき、前記制御部４０Ａからの制御信号に基づいて腹腔内圧力を減圧させるために弁を開放状態にするようになっている。これによって、腹腔内又は管腔内の炭酸ガスが大気中に放出される。
【００８０】
前記制御部４０Ａは、供給された各計測結果及び検出結果に基づいて、前記電空比例弁３３の圧力制御、前記電磁弁３５Ａの開閉制御や前記表示部４２の表示制御等を行う。また、前記制御部４０Ａには、前記設定操作部４１が接続されており、前記制御部４０Ａは前記設定操作部４１からの操作信号に基づき前記各種制御を行うことが可能である。
【００８１】
次に、本実施例の送気装置４５の作用について説明する。 
本実施例の送気装置４５は、上記第１実施例で説明したように内視鏡外科手術システム１に用いられる。 
術者は、腹腔鏡下外科手術において、腹腔内に前記硬性内視鏡５を挿入すると共に、大腸などの管腔内に前記軟性内視鏡１２を挿入して処置部位を特定して治療を行うものとする。
【００８２】
前記送気装置４５は、術者が前記腹腔指示ボタン２１ｋ及び前記送気開始ボタン２１ｂを操作することにより、上述したように前記腹腔用供給口金２１Ａには、前記制御部４０Ａの前記電空比例弁３３に対する制御により、腹腔用に適した圧力の炭酸ガスが供給されるようになっている。
【００８３】
一方、前記送気装置４５は、術者が前記管腔指示ボタン２１ｍ及び送気開始ボタン２１ｂを操作することにより、上述したように前記管腔用供給口金２１Ｂには、前記制御部４０Ａの前記電空比例弁３３に対する制御により、管腔用に適した圧力の炭酸ガスが供給されるようになっている。
【００８４】
図１０のフローを参照して更に、具体的に説明する。 
先ず、制御部４０Ａは、管腔指示ボタン２１ｍがボタン操作された管腔送気モードオンの状態か否かを判断する（ステップＳ１１）。管腔送気モードがオンの場合、制御部４０Ａは、管腔送気モードに入る。制御部４０Ａは、切替弁４６にＢ、即ち、管腔内への管路に切り替え（ステップＳ１２）、管腔流量制御を行う（ステップＳ１３）。
【００８５】
ここで、手術を行う前に、送気装置４５は、上述したように予め、炭酸ガスボンベ２９のコックが開けられることで、高圧炭酸ガスが供給されて内部管路を介して減圧器３２に導かれ、この減圧器３２により高圧炭酸ガスが所定の圧力に減圧されている。 
減圧器３２により所定の圧力に減圧された炭酸ガスは、前記電空比例弁３３により、管腔内に供給するのに適した圧力、送気流量に調節される。
【００８６】
前記電空比例弁３３により、管腔内に供給するのに適した圧力、送気流量に調節された炭酸ガスは、前記電磁弁３５Ａ、前記流量センサ３８Ａを通過し、前記切替弁４６により切り替えられて前記管腔用供給口金２１Ｂ、前記管腔用チューブ２２、コネクタ部１７Ａ、ユニバーサルコード１７、前記軟性内視鏡１２に設けられている流路（送気管路：図示せず）を通って管腔内に導かれる。
【００８７】
このとき、前記流量センサ３８Ａは、前記電磁弁３５Ａを通過してこの内部管路を流れる炭酸ガスの流量を計測して、その計測結果を前記制御部４０Ａに出力する。前記制御部４０Ａは、この計測結果に基づき、前記電空比例弁３３を制御して管腔内への炭酸ガスの流量を送気流量の適した範囲の１〜３Ｌ／ｍｉｎに制御し、管腔流量制御が行われる。
【００８８】
一方、管腔送気モードがオフの場合、制御部４０Ａは、腹腔送気モードに入る。制御部４０Ａは、切替弁４６にＡ、即ち、腹腔内への管路に切り替え（ステップＳ１４）、腹腔圧制御を行う（ステップＳ１５）。 
減圧器３２により所定の圧力に減圧された炭酸ガスは、前記電空比例弁３３により、管腔内に供給するのに適した圧力、送気流量に調節される。
【００８９】
前記電空比例弁３３により、管腔内に供給するのに適した圧力、送気流量に調節された炭酸ガスは、前記電磁弁３５Ａ、前記流量センサ３８Ａを通過し、前記切替弁４６により切り替えられて前記腹腔用供給口金２１Ａ、前記腹腔用チューブ１０、前記気腹用ガイド管６に設けられている流路（送気管路：図示せず）を通って炭酸ガスが腹腔内に導かれる。
【００９０】
このとき、前記流量センサ３８Ａは、前記電磁弁３５Ａを通過してこの内部管路を流れる炭酸ガスの流量を計測して、その計測結果を前記制御部４０Ａに出力する。また、前記圧力センサ３７は、前記電磁弁３５Ａを閉じたとき、腹腔内の圧力を計測して、その計測結果を前記制御部４０Ａに出力する。
【００９１】
前記制御部４０Ａは、前記流量センサ３８Ａ及び前記圧力センサ３７の計測結果に基づき、前記電空比例弁３３を制御して腹腔内への炭酸ガスの圧力を送気圧力の適した範囲の０〜８０ｍｍＨｇに、流量を送気流量の適した範囲の０．１〜３５Ｌ／ｍｉｎに制御し、腹腔圧制御が行われる。 
尚、前記制御部４０Ａは、管腔流量制御及び腹腔圧制御の後、炭酸ガス供給を終了するまで、再びステップＳ１１に戻り、Ｓ１１からＳ１３又はＳ１５を繰り返す。
【００９２】
これにより、本実施例の送気装置４５は、腹腔内には、前記制御部４０Ａの前記電空比例弁３３に対する腹腔圧制御により腹腔用に適した圧力の炭酸ガスが供給され、また、管腔内には、同様に前記制御部４０Ａの前記電空比例弁３３に対する管腔流量制御により管腔用に適した流量の炭酸ガスが供給される。 
従って、第２実施例の送気装置４５は、上記第１実施例と同様な効果を得ることに加え、前記腹腔用供給口金２１Ａ及び前記管腔用供給口金２１Ｂの直前に切替弁を設けて、この切替弁までは内部管路を１つに構成しているので、部品点数が少なくなり、製作が簡単になり、コストも安くできる。
【００９３】
尚、本発明は、以上述べた第１及び第２実施例のみに限定されるものではなく、発明の要旨を逸脱しない範囲で種々変形実施可能である。
【００９４】
［付記］
（付記項１）
所定の気体を供給する供給手段と、
前記供給手段から供給される所定の気体の圧力を、腹腔内へ送気するための圧力もしくは管腔内へ送気するための圧力に調整する圧力調整手段と、
前記腹腔内へ送気するための第１の管路と、
前記管腔内へ送気するための第２の管路と、
前記調整済みの所定の気体を前記第１の管路又は前記第２の管路へ送気先を切り替える切替手段と、
前記腹腔内へ送気するための圧力に調整された所定の気体を前記第１の管路へ送気する、もしくは前記管腔内へ送気するための圧力に調整された所定の気体を前記第２の管路へ送気するように前記圧力調整手段及び前記切替手段を制御する制御手段と、
を具備したことを特徴とする送気装置。
【００９５】
（付記項２）
前記切替手段は、前記圧力調整手段により圧力を調整された所定の気体を前記第１の管路に送出する第１の電磁弁及び、前記圧力調整手段により圧力を調整された所定の気体を前記第２の管路に送出する第２の電磁弁であることを特徴とする付記項１に記載の送気装置。
【００９６】
（付記項３）
前記切替手段は、前記圧力調整手段により圧力を調整された所定の気体を、前記第１の管路又は前記第２の管路に切り替える切替弁であることを特徴とする付記項１に記載の送気装置。
【００９７】
（付記項４）
前記制御手段は、所定の気体を腹腔内に供給するとき、前記第２の電磁弁を閉じると共に前記圧力調整手段が腹腔内に供給するのに適した圧力に調整するよう制御するか又は、所定の気体を管腔内に供給するとき、前記第１の電磁弁を閉じると共に前記圧力調整手段が管腔内に供給するのに適した圧力に調整するよう制御することを特徴とする付記項２に記載の送気装置。
【００９８】
（付記項５）
前記制御手段は、所定の気体を腹腔内に供給するとき、前記切替弁を前記第１の管路に切り替えると共に前記圧力調整手段が腹腔内に供給するのに適した圧力に調整するよう制御するか又は、所定の気体を管腔内に供給するとき、前記切替弁を前記第２の管路に切り替えると共に前記圧力調整手段が管腔内に供給するのに適した圧力に調整するよう制御することを特徴とする付記項３に記載の送気装置。
【００９９】
（付記項６）
前記圧力調整手段により圧力を調整された所定の気体の送気流量を計測する流量計測手段を有し、
前記制御手段は、前記流量計測手段の計測結果に基づき、前記圧力調整手段を制御して管腔内への所定の気体の送気流量を所定の範囲内に制御することを特徴とする付記項４又は５に記載の送気装置。
【０１００】
（付記項７）
前記圧力調整手段により圧力を調整された所定の気体の送気圧力を計測する送気圧力計測手段を有し、
前記制御手段は、前記送気圧力計測手段の計測結果に基づき、前記圧力調整手段を制御して腹腔内への所定の気体の送気圧力を所定の範囲内に制御することを特徴とする付記項４又は５に記載の送気装置。
【０１０１】
（付記項８）
前記圧力調整手段により圧力を調整された所定の気体の送気流量を計測する流量計測手段及び、前記圧力調整手段により圧力を調整された所定の気体の送気圧力を計測する送気圧力計測手段を有し、
前記制御手段は、所定の気体を管腔内に供給するとき、前記流量計測手段の計測結果に基づき、前記圧力調整手段を制御して管腔内への所定の気体の送気流量を所定の範囲内に制御するか又は、所定の気体を腹腔内に供給するとき、前記送気圧力計測手段の計測結果に基づき、前記圧力調整手段を制御して腹腔内への所定の気体の送気圧力を所定の範囲内に制御することを特徴とする付記項４又は５に記載の送気装置。
【産業上の利用可能性】
【０１０２】
本発明の送気装置は、気腹用送気と管腔用送気とでそれぞれに適した送気圧で所定の気体を送気可能で、小型で安価に構成できるので、手術室のスペースの有効利用を図ることができ、また、腹腔鏡下外科手術において、腹腔内に硬性内視鏡を挿入すると共に、大腸などの管腔内に軟性内視鏡を挿入して処置部位を特定して治療を行う場合には特に有効である。
【図面の簡単な説明】
【０１０３】
【図１】第１実施例の送気装置を備えた内視鏡外科手術システムの全体構成図である。
【図２】図１の操作パネルの画像構成例である。
【図３】図１の表示パネルの画像構成例である。
【図４】図１の送気装置の設定操作部及び表示部を示す構成図である。
【図５】図１の送気装置の構成を説明するブロック図である。
【図６】図５の制御部の制御動作例を示すフローチャートである。
【図７】変形例を示す送気装置及び第２光源装置の構成を説明するブロック図である。
【図８】第２実施例の送気装置の設定操作部及び表示部を示す構成図である。
【図９】第２実施例の送気装置の構成を説明するブロック図である。
【図１０】図９の制御部の制御動作例を示すフローチャートである。
【図１１】ＥＣＲを備えた従来の内視鏡外科手術システムの全体構成図である。
【符号の説明】
【０１０４】
１…内視鏡外科手術システム
５…硬性内視鏡
６…気腹用ガイド管（トラカール）
１０…腹腔用チューブ
１２…軟性内視鏡
１３ａ…送気ボタン
１６…挿入部
２１…送気装置
２１Ａ…腹腔用供給口金
２１Ｂ…管腔用供給口金
２２…管腔用チューブ
２４…第２光源装置
２５…システムコントローラ
２７…表示パネル
２９…炭酸ガスボンベ
２９Ａ…高圧ガス用チューブ
３０…高圧口金
３１…供給圧センサ
３２…減圧器
３３…電空比例弁
３５…第１電磁弁
３６…第２電磁弁
３７…圧力センサ
３８…第１流量センサ
３９…第２流量センサ
４０…制御部
４１…設定操作部
４２…表示部
代理人    弁理士    伊藤  進
【図１】
2005279061.tif 000003
【図２】
2005279061.tif 000004
【図３】
2005279061.tif 000005
【図４】
2005279061.tif 000006
【図５】
2005279061.tif 000007
【図６】
2005279061.tif 000008
【図７】
2005279061.tif 000009
【図８】
2005279061.tif 000010
【図９】
2005279061.tif 000011
【図１０】
2005279061.tif 000012
【図１１】
2005279061.tif 000013